(57)【要約】【課題】携帯電話等の移動体通信機器に用いられるアンテナに関し、アンテナ用エレメントをキャリアに固定するかしめ品質を維持し、生産性の向上が図れるものを提供することを目的とする。【解決手段】キャリア１２の傾斜面１２Ｂに設けられた２ヶ所の第２突起１４は、根元部分が天面である水平面１２Ａの第１突起１３の直径より太い円柱形状で、傾斜面１２Ｂの下方側となる下流側が切り欠かれて段部１４Ａとされ傾斜面１２Ｂの上方側となる上流側のみが水平断面が半円形の柱状に形成したものとされ、それを上方側から垂直に潰しかしめする構成とした。【選択図】図１
2008205555.tif 000002
【特許請求の範囲】
【請求項１】
金属板製のアンテナ用エレメントと、天面に第１突起と傾斜面に第２突起が垂直上方にそれぞれ突設され、それら第１突起、第２突起が潰しかしめされて前記アンテナ用エレメントを表面に固定保持する絶縁樹脂製のキャリアとからなり、前記傾斜面の第２突起のかしめ部形状が、前記傾斜面の上方となる上流側が高く、下方となる下流側が低くなる傾斜形状または段差形状に形成され、前記第１突起と第２突起とが上方側から垂直に押し潰されて、前記アンテナ用エレメントが前記キャリアに固定されていることを特徴とするアンテナ。
【請求項２】
傾斜面の第２突起の潰される部分の体積が、天面の第１突起の潰される部分と同じ体積となるように設定された請求項１記載のアンテナ。
【発明の詳細な説明】
【技術分野】
【０００１】
本発明は、携帯電話等の移動体通信機器に使用されるアンテナに関するものである。
【背景技術】
【０００２】
近年、移動体通信機器は小型、軽量化が進み、それに伴いその移動体通信機器に搭載されるアンテナについても小型、軽量化への要望が強くなっている。そして、アンテナの形態は移動体通信機器の筐体内部に収納される内蔵式のアンテナが主流となってきている。
【０００３】
このような移動体通信機器としての携帯電話機に用いられる従来のアンテナについて、図６〜図８を用いて説明する。
【０００４】
図６は従来のアンテナの外観斜視図、図７は同分解斜視図であり、同図において、１は細長い金属板を所定の周波数の電波に共振可能なように打ち抜き加工や折り曲げ加工を施して構成されたアンテナ用エレメントである。２は下面開口の略箱型をした絶縁樹脂製のキャリアであり、同図中に示す上方側の天面となる水平面２Ａと前方側の垂直面２Ｃとで形成されるコーナー部が傾斜面２Ｂとして形成され、前記アンテナ用エレメント１がその水平面２Ａ、傾斜面２Ｂに沿った表面に載せられてかしめ固定されることによって、従来のアンテナが構成されている。
【０００５】
この従来のアンテナは、図示しない携帯電話機の筐体内に収納状態で搭載される内蔵式のものであり、前記キャリア２の図６中に示す前方側を、携帯電話機筐体の端部側に向けて搭載される形態となっているために、その筐体に当接しないように、前方端部側に向かって厚みが薄くなるように傾斜面２Ｂが設けられている。
【０００６】
そして、前記キャリア２には、前記アンテナ用エレメント１をかしめ固定する円柱形状の第１突起３が水平面２Ａに、そして第２突起４が傾斜面２Ｂに突設されており、前記第１突起３および第２突起４は、同じ直径寸法で、それぞれが平行関係で垂直上方に向けて設けられている。
【０００７】
前記構成の従来のアンテナにおいて、前記キャリア２にアンテナ用エレメント１を固定する方法を説明すると、まず、キャリア２の水平面２Ａの第１突起３と傾斜面２Ｂの第２突起４それぞれに対応して設けられたアンテナ用エレメント１の貫通孔６を合わせて、アンテナ用エレメント１をキャリア２表面に載せるなどして組み合わせる。次に、所定温度に加熱した図示しないかしめ用ポンチを上方から垂直下方に押し付けて、第１突起３と第２突起４に同時に圧力と熱を加え、第１突起３と第２突起４とをかしめ加工して、前記アンテナ用エレメント１を前記キャリア２に固定させる。なお、図８は図６中の傾斜面２Ｂの第２突起４部分となるＲ−Ｒ線における断面図であり、同図に示したように、第２突起４は傾斜面２Ｂの上流側でかしめ固定されるようになるものであった。
【０００８】
なお、この出願の発明に関連する先行技術文献情報としては、例えば、特許文献１が知られている。
【特許文献１】特開２００３−２７３６２３号公報
【発明の開示】
【発明が解決しようとする課題】
【０００９】
前記従来のアンテナにおいては、キャリア２の天面である水平面２Ａに設けられた第１突起３と傾斜面２Ｂに設けられた第２突起４とを熱を加えながら潰している。これは、加熱していない状態で上方側から垂直に潰しかしめを行うと、傾斜面２Ｂの第２突起４が傾斜面２Ｂの下流となる下方に向けて倒れたり、場合によっては折れが発生したりして、第２突起４に対してうまくかしめができないことが発生するからであり、前述した構成であれば、前記かしめ固定時において、かしめ用ポンチの温度管理が必要で、かしめ加工にも時間がかかり、生産性が良くないという課題があった。
【００１０】
本発明は、このような従来の課題を解決するものであり、アンテナ用エレメントをキャリアに固定するかしめ品質を維持しながら、生産性が向上できるアンテナを提供することを目的とする。
【課題を解決するための手段】
【００１１】
前記目的を達成するために本発明は、以下の構成を有するものである。
【００１２】
本発明の請求項１に記載の発明は、金属板製のアンテナ用エレメントと、天面に第１突起と傾斜面に第２突起が垂直上方にそれぞれ突設され、それら第１突起、第２突起が潰しかしめされて前記アンテナ用エレメントを表面に固定保持する絶縁樹脂製のキャリアとからなり、前記傾斜面の第２突起のかしめ部形状が、前記傾斜面の上方となる上流側が高く、下方となる下流側が低くなる傾斜形状または段差形状に形成され、前記第１突起と第２突起とが上方側から垂直に押し潰されて、前記アンテナ用エレメントが前記キャリアに固定されていることを特徴とするアンテナとしたものであり、傾斜面に設けた第２突起のかしめ部を傾斜面の上流側が高くなる傾斜した形状または段差を持たせた形状のものとしたので、熱かしめを用いなくても第２突起の倒れなどなく各突起を同時に安定してかしめ固定でき、アンテナ用エレメントをキャリアにかしめ固定する際の生産性の向上が図られたアンテナとして実現できるという作用を有する。
【００１３】
請求項２に記載の発明は、請求項１記載の発明において、傾斜面の第２突起の潰される部分の体積が、天面の第１突起の潰される部分と同じ体積となるように設定されたものであり、第１突起と第２突起の潰される部分の体積を同じにしたので、同時にかしめる際の各突起に必要な圧力が同等となり、安定したかしめを行うことができるという作用を有する。
【発明の効果】
【００１４】
以上のように本発明によれば、傾斜面に設けられた第２突起のかしめ部形状が傾斜面の上方となる上流側が高く、下方となる下流側が低くなる傾斜形状または段差形状に形成したものとしたため、熱かしめを用いなくても傾斜面の突起と天面の突起とを、かしめ品質を維持して同時に上方側からかしめ固定でき、これにより生産性の向上が図られたアンテナとして実現できるという有利な効果が得られる。
【発明を実施するための最良の形態】
【００１５】
以下、本発明の実施の形態について、図１〜図５を用いて説明する。
【００１６】
なお、従来の技術の項で説明した構成と同一構成の部分には同一符号を付して、詳細な説明を簡略化する。
【００１７】
（実施の形態）
図１は本発明の一実施の形態によるアンテナの外観斜視図、図２は同分解斜視図、図３はかしめ前の図２中のＳ−Ｓ線における要部断面図、図４はかしめ後の図２中のＳ−Ｓ線における要部断面図である。
【００１８】
図１、図２において、１２は下面開口の略箱型をした絶縁樹脂製のキャリアで、図１中に示した上方側方向の天面となる水平面１２Ａと前方側の垂直面１２Ｃが交わってできるコーナー部が面取りされた傾斜面１２Ｂを有した形状となっている。そして、１１は細長い金属板を所定の周波数の電波に共振可能なように打ち抜き加工や折り曲げ加工を施して形成されたアンテナ用エレメントであり、このアンテナ用エレメント１１が、前記キャリア１２の水平面１２Ａから傾斜面１２Ｂに沿った表面に載せられてかしめ固定されることによって、アンテナとして構成されている。
【００１９】
また、前記キャリア１２の左右の側面１２Ｄ，１２Ｅの下端部位置には取付用孔１５Ａを有した取付用突起１５が、水平方向にそれぞれ突設されており、この取付用孔１５Ａを介してビス等により図示しない携帯電話機の筐体などに搭載される。
【００２０】
これらは、従来のアンテナと同様であるが、本実施の形態によるアンテナは、アンテナ用エレメント１１をキャリア１２に固定するかしめ用の突起が異なっている。
【００２１】
つまり、図２に示すように、本実施の形態によるキャリア１２において、上方側の天面となる水平面１２Ａに垂直上方に向けて突設された５ヶ所の第１突起１３は、従来のものと同じであって、その第１突起１３どうしは同一直径となされているが、傾斜面１２Ｂに垂直上方に向けて突設された２ヶ所の第２突起１４は、その形状、寸法が異なっている。
【００２２】
この傾斜面１２Ｂに設けられた２ヶ所の第２突起１４は、垂直上方に突出した第１突起１３と平行関係すなわち水平面１２Ａに対して同じく垂直上方に向けて突設され、図３に示したように、その根元部分は前記水平面１２Ａの第１突起１３の直径より太い円柱形状で、傾斜面１２Ｂの下方側となる下流側が切り欠かれて段部１４Ａが形成され、その傾斜面１２Ｂの上方側となる上流側のみが、水平断面が半円形の柱状に形成されたものとしている。そして、この半円形の柱状となされた部分の体積は、水平面１２Ａの第１突起１３の突出部分の体積とほぼ同じ体積で設定されている。
【００２３】
そして、アンテナ用エレメント１１には、第１突起１３および第２突起１４の配設位置に応じた箇所に、それぞれ対応する形状で設けられた貫通孔２１および３１が設けられている。なお、貫通孔３１は、第２突起１４の根元部分が挿入できる形状に設定されている。
【００２４】
そして、アンテナ用エレメント１１の貫通孔２１および３１に第１突起１３および第２突起１４を挿入させてアンテナ用エレメント１１をキャリア１２に組み合わせ、その後、第１突起１３および第２突起１４の先端側をかしめ固定して完成させる。
【００２５】
このとき、傾斜面１２Ｂの第２突起１４は、図４に示すように、図示しないかしめポンチにより、前記半円形の柱状部分が上方から垂直下方に向けて押し潰されてかしめ固定状態になされる。そのかしめ固定時においては、段部１４Ａを境とした根元部分がかしめ圧力の受け部となるため、前記かしめ時においても傾斜面１２Ｂの下方側に倒れること等をなくすことができて第１突起１３同様に水平面１２Ａで潰しかしめがなされるような状態の確保ができ、上方側から垂直に押し潰す際に、かしめ用ポンチを加熱せずとも安定した潰しかしめ加工が行えるものにできる。
【００２６】
このように本発明の実施の形態によれば、傾斜面１２Ｂの第２突起１４への潰しかしめを水平面１２Ａでの潰しかしめと同様に扱えるものとして実現でき、かしめ用ポンチを加熱する必要もなくせて、ポンチの温度管理なども不要で、かつ安定してアンテナ用エレメント１１をキャリア１２にかしめ固定できるようになるため、高いかしめ品質を得ながら、かしめ作業性が向上して効率的な生産が可能となる。
【００２７】
また、水平面１２Ａの第１突起１３と傾斜面１２Ｂの第２突起１４との潰しかしめされる部分の体積を同じ設定にしているので、どの突起も同じ圧力で潰すことができ、より安定したかしめ加工が可能となり、水平面１２Ａの５ヵ所の第１突起１３と傾斜面１２Ｂの２ヶ所の第２突起１４のすべてを一回のかしめ作業で同時に安定して行うことができる。
【００２８】
なお、傾斜面１２Ｂの第２突起１４の形状について、前述のように下流側に段部１４Ａを持たせた段差形状ではなく、図５に示すように、前記段差を設けて切り欠いた部分を先端に向かって細くなるようにテーパ面１７Ａに形成したテーパ面付き突起１７としても良く、これによっても熱かしめが不要で、潰しかしめに際して、根元部分がかしめ時の圧力をしっかり受け止めるため、キャリア１６の傾斜面１６Ｂの下方に突起が倒れること等がなく、安定したかしめ固定が行えるものにできる。
【００２９】
また、絶縁樹脂製のキャリアの天面は、水平面に限られるものではなく、上方に膨出した球面や曲面でも良く、さらにそれら天面と傾斜面は直接繋がっていなくても良い。
【産業上の利用可能性】
【００３０】
本発明によるアンテナは、アンテナ用エレメントをキャリアに固定するかしめ品質を維持しながら、生産性が向上されたものとして実現できるという効果を有し、携帯電話を代表とする移動体通信機器等に有用である。
【図面の簡単な説明】
【００３１】
【図１】本発明の一実施の形態によるアンテナの外観斜視図
【図２】同分解斜視図
【図３】かしめ前の図２中のＳ−Ｓ線における要部断面図
【図４】かしめ後の図２中のＳ−Ｓ線における要部断面図
【図５】他の形態の傾斜面の突起を示す断面図
【図６】従来のアンテナの外観斜視図
【図７】同分解斜視図
【図８】同図６中のＲ−Ｒ線における要部断面図
【符号の説明】
【００３２】
１１  アンテナ用エレメント
１２，１６  キャリア
１２Ａ  水平面
１２Ｂ，１６Ｂ  傾斜面
１２Ｃ  垂直面
１２Ｄ，１２Ｅ  側面
１３  第１突起
１４  第２突起
１４Ａ  段部
１５  取付用突起
１５Ａ  取付用孔
１７  テーパ面付き突起
１７Ａ  テーパ面
２１，３１  貫通孔
【図１】
2008205555.tif 000003
【図２】
2008205555.tif 000004
【図３】
2008205555.tif 000005
【図４】
2008205555.tif 000006
【図５】
2008205555.tif 000007
【図６】
2008205555.tif 000008
【図７】
2008205555.tif 000009
【図８】
2008205555.tif 000010